(57)【要約】      （修正有）【課題】コストを下げることができる製品重量ラックの構造を提供する。【解決手段】製品重量ラック２は、少なくとも複数のスライド台ユニット３及び複数のスライド台ユニット３を直列連結する支柱台ユニット４を備える。スライド台ユニット３には、直列配列された複数のローラー３２が設けられ、スライド台ユニット３のローラー３２の下方に穴が設けられる。支柱台ユニット４は、複数の穿設軸４１及び穿設軸４１に固定される外支柱４２を備え、穿設軸４１は、スライド台ユニット３の穴に穿設されることによって複数のスライド台ユニット３を直列連結することができる。支柱台ユニット４の穿設軸４１によってスライド台ユニット３が直列連結される、つまりスライド台ユニット３と支柱台ユニット４が１つの構成部材を形成することで、製品重量ラック２は、支柱台ユニット４によって耐荷重力を備えることができるとともに、スライド台ユニット３によって製品を自由にスライドさせる効果を備える。【選択図】図３
0003211515.tif 000002
【実用新案登録請求の範囲】
【請求項１】
少なくとも複数のスライド台ユニット及び前記複数のスライド台ユニットを直列連結することのできる支柱台ユニットを備える製品重量ラックの構造であって、前記スライド台ユニットには、直列配列された複数のローラーが設けられ、前記スライド台ユニットの前記ローラーの下方に穴が設けられ、前記支柱台ユニットは、複数の穿設軸及び前記穿設軸に固定される外支柱を備え、前記穿設軸は、前記スライド台ユニットの穴に穿設されることによって前記複数のスライド台ユニットを直列連結することを特徴とする、製品重量ラックの構造。
【請求項２】
前記スライド台ユニットの両側には固定部品が設けられ、前記固定部品の長軸方向に沿って、間隔を置いて直列配列された複数の軸穴が設けられ、直列配列された前記軸穴の間には、交互に複数のスルーホールが設けられ、前記固定部品の直列配列された前記軸穴の下方には、複数の穴が設けられ、前記スライド台ユニットの前記固定部品の間には、前記複数のローラー及び位置決め部品が設けられ、前記ローラーの両端の凸部には、支軸が設けられ、前記ローラーは、前記支軸によって、前記固定部品の前記軸穴内に直列配列で軸設されることを特徴とする、請求項１に記載の製品重量ラックの構造。
【請求項３】
前記固定部品の一端には、はめ込み溝が設けられることを特徴とする、請求項２に記載の製品重量ラックの構造。
【請求項４】
前記穿設軸の両側端には、固定穴が設けられ、前記外支柱は前外支柱と、左外支柱と、右外支柱と、後外支柱を備え、前記前外支柱の両側端には、固定穴が設けられ、前記後外支柱の両側端には、同様に固定穴が設けられ、前記左外支柱は、前記穿設軸の固定穴に対応し、前記前外支柱の固定穴及び前記後外支柱の固定穴には、複数の穿設穴が設けられ、前記右外支柱は、前記穿設軸の固定穴に対応し、前記前外支柱の固定穴及び前記後外支柱の固定穴には、複数の穿設穴が設けられ、前記外支柱は、ボルトが前記左外支柱と右外支柱の穿設穴に穿設され、さらに分離部品を穿設してから、前記穿設軸の固定穴、前記前外支柱の固定穴、前記後外支柱の固定穴にねじ止めされることを特徴とする、請求項１に記載の製品重量ラックの構造。
【請求項５】
前記分離部品はわずかに弾性を備えることを特徴とする、請求項４に記載の製品重量ラックの構造。
【請求項６】
前記はめ込み溝にストップ部品が挿入されることを特徴とする、請求項３に記載の製品重量ラックの構造。
【請求項７】
前記前外支柱の前端上方の凸部には、プライスカード設置部が設けられ、前記プライスカード設置部には、プライスカードが嵌設されることを特徴とする、請求項４に記載の製品重量ラックの構造。
【請求項８】
前記スライド台ユニットは位置決め部品を備え、前記位置決め部品に挿入部品が挿設され、前記挿入部品の下部は、円弧状の挿設部を備え、前記挿設部は、前記スライド台ユニットの前記位置決め部品に挿設され、前記挿入部品の上端には、嵌設部が設けられ、前記嵌設部には、複数の嵌設溝が設けられ、前記嵌設溝には間隔部品が嵌設されることを特徴とする、請求項１に記載の製品重量ラックの構造。
【考案の詳細な説明】
【技術分野】
【０００１】
本考案は、製品重量ラックの構造に関し、特に、製品重量ラックのコストを削減できる製品重量ラックの構造に関する。
【背景技術】
【０００２】
大型スーパーは、冷蔵商品を展示販売し、消費者が購入するのに便利な場所であるため、冷蔵商品を陳列する冷蔵庫内に製品重量ラック１が使用されている。
【０００３】
図１と図２に示すように、前記製品重量ラック１は、強度のある底台１１及び底台１１上に設けられるスライド台１２からなる。そのうち、底台１１は、金属材料によって製造された隙間のあるフレーム体であるため、製品ラック１は、高い積載能力を備える。スライド台１２は底台１１上に敷設され、スライド台１２には、複数のローラー１２１が設けられ、ローラー１２１は、スライド台１２上に複数列で直列して配置されるため、製品重量ラック１がわずかに傾斜して製品重量ラック内に設置されると、店員が製品重量ラック１上に冷蔵商品を置いた後、すぐにスライド台１２上のローラー１２１が低い方へとスライドし、さらに製品重量ラック１の前端面に設けられたストッパー１３が障害物となって位置決めをし、後から置かれた冷蔵商品は続けて製品重量ラック１に並んで陳列される。消費者が、ストッパー１３の後ろの１つ目の商品を手に取り、購入する時、後ろの商品は、すぐにスライド台１２上の複数のローラー１２１によって持っていかれた１つ目の商品の位置に直接補充され、後ろに続く商品もまたローラー１２１によって順番に前へと動き、空いた位置に補充される。
【０００４】
従来の製品重量ラック１は、上述の構造により、確かに商品を陳列することができ、商品の取りやすさの目的を達成してきた。しかしながら、従来の製品重量ラック１が商品を載せる際の積載能力は、完全に底台１１にかかっているが、スライド台１２はプラスチック材料で製造されているため、製品重量ラック１は、主に商品を自由にスライドさせる目的のためだけに使用されており、重さに耐えることはできない。よって、従来の製品重量ラック１は、重さに耐えられる底台１１にスライド台１２を敷設したものである必要があり、それによって従来の製品重量ラック１のコストが高くなるため、さらに改善が必要とされている。
【考案の概要】
【考案が解決しようとする課題】
【０００５】
本考案は、主に、従来の製品重量ラックの高コストの欠点を克服する製品重量ラックを提供することを目的とする。
【課題を解決するための手段】
【０００６】
上述の目的を達成するために、本考案が使用する主な技術手段は、製品重量ラックを提供し、前記製品重量ラックは、少なくとも複数のスライド台ユニット及び複数のスライド台ユニットを直列連結する支柱台ユニットを備える。前記スライド台ユニットには、直列配列された複数のローラーが設けられ、前記スライド台ユニットの前記ローラーの下方に穴が設けられる。前記支柱台ユニットは、複数の穿設軸及び穿設軸に固定される外支柱を備え、前記穿設軸は、前記スライド台ユニットの穴に穿設されることによって前記複数のスライド台ユニットを直列連結することができる。
【考案の効果】
【０００７】
本考案は、上述の主な技術手段によって、前記支柱台ユニットの穿設軸によって前記スライド台ユニットが直列連結される、つまり前記スライド台ユニットと前記支柱台ユニットが１つの構成部材を形成することで、前記製品重量ラックは、前記支柱台ユニットによって耐荷重力を備えることができるとともに、前記スライド台ユニットによって製品を自由にスライドさせる効果を備えるため、さらに効果的に前記製品重量ラックのコストを下げることができる。
【図面の簡単な説明】
【０００８】
【図１】従来の製品重量ラックを示した図である。
【図２】従来の製品重量ラックのスライド台を示した図である。
【図３】本考案の製品重量ラックの分解図である。
【図４】本考案の製品重量ラックの斜視図である。
【図５】本考案のスライド台ユニットの分解図である。
【図６】本考案の支柱台ユニットの一部分を組み立てた分解図である。
【図７】本考案の支柱台ユニットの別の部分を組み立てた分解図である。
【図８】本考案のスライド台ユニットと間隔部品の分解図である。
【考案を実施するための形態】
【０００９】
図３と図４を参照する。本考案の製品重量ラックの構造において、前記製品重量ラック２は、少なくとも複数のスライド台ユニット３及び複数のスライド台ユニット３を直列連結することのできる支柱台ユニット４を備える。
【００１０】
図３から図５に示すように、スライド台ユニット３は、複数備えられ、各スライド台ユニット３はすべて同じであるため、そのうちの１つのスライド台ユニット３のみを例として挙げ、説明する。スライド台ユニット３の両側には固定部品３１が設けられ、固定部品３１の一端には、はめ込み溝３１１が設けられ、固定部品３１の長軸方向に沿って、間隔を置いて直列配列された複数の軸穴３１２が設けられる。直列配列された軸穴３１２の間には、交互に複数のスルーホール３１３が設けられ、固定部品３１の直列配列された軸穴３１２の下方には、複数の穴３１４が設けられる。スライド台ユニット３の固定部品３１の間には、複数のローラー３２及び位置決め部品３３が設けられる。ローラー３２の両端の凸部には、支軸３２１が設けられ、ローラー３２は、支軸３２１によって、固定部品３１の軸穴３１２内に直列配列で軸設されることによって、ローラー３２は、２つの固定部品３１の間の定位置で自由に転がる。位置決め部品３３の両端には、錠穴３３１が設けられることによって、ボルトＳは固定部品３１のスルーホール３１３を突き抜けた後、位置決め部品３３の錠穴３３１に螺設され、さらに位置決め部品３３を固定部品３１の間に固定する、つまり、位置決め部品３３が２つの固定部品３１を連結するとともに、ローラー３２を固定部品３１の間に位置決めすることによって、スライド台ユニット３を形成する。
【００１１】
図３、図４、図６、図７、図８に示すように、支柱台ユニット４は、複数の穿設軸４１及び複数の外支柱４２によって構成される。穿設軸４１は、強度の高い金属材料によって製造されており、穿設軸４１の両側端には、固定穴４１１が設けられ、穿設軸４１は、主にスライド台ユニット３の穴３１４に穿設される。外支柱４２は、強度の高い金属材料によって製造されており、外支柱４２は前外支柱４２１と、左外支柱４２２と、右外支柱４２３と、後外支柱４２４を備える。前外支柱４２１の両側端には、固定穴４２１１が設けられ、前外支柱４２１の前端上方の凸部には、プライスカード設置部４２１２が設けられ、プライスカード設置部４２１２には、プライスカード（図には未表示）を嵌設することができる。後外支柱４２４の両側端には、同様に固定穴４２４１が設けられる。左外支柱４２２は、穿設軸４１の固定穴４１１に対応し、前外支柱４２１の固定穴４２１１及び後外支柱４２４の固定穴４２４１には、複数の穿設穴４２２１が設けられる。右外支柱４２３は、穿設軸４１の固定穴４１１に対応し、前外支柱４２１の固定穴４２１１及び後外支柱４２４の固定穴４２４１には、複数の穿設穴４２３１が設けられる。外支柱４２は、ボルトＳ１が左外支柱４２２と右外支柱４２３の穿設穴４２２１と４２３１に穿設され、さらに分離部品５を穿設してから、穿設軸４１の固定穴４１１、前外支柱４２１の固定穴４２１１、後外支柱４２４の固定穴４２４１にねじ止めされる、つまり、外支柱４２と穿設軸４１の間に分離部品５を介設し、分離部品５はわずかに弾性を備えることによって、支柱台ユニット４が形成される。
【００１２】
図３、図４、図６、図７に示すように、製品重量ラック２の組み立て方は、まず支柱台ユニット４の穿設軸４１は、スライド台ユニット３の穴３１４に穿設されるとともに、複数のスライド台ユニット３を穿設することで、複数のスライド台ユニット３を１列に並べた支柱台ユニット４を覆う穿設軸４１を穿設し、さらに支柱台ユニット４の穿設軸４１の外側には、支柱台ユニット４の外支柱４２が置かれる。外支柱４２は、ボルトＳ１によって左外支柱４２２と、右外支柱４２３の穿設穴４２２１と４２３１に穿設され、さらに分離部品５を穿設し、穿設軸４１の固定穴４１１、前外支柱４２１の固定穴４２１１及び後外支柱４２４の固定穴４２４１にねじ止めされることによって、本考案の製品重量ラック２の組み立てが完成する。これにより、製品重量ラック２は、支柱台ユニット４によって耐荷重力を備えることができ、スライド台ユニット３によって製品を自由にスライドさせる効果を備えることができる。
【００１３】
図３と図４に示すように、本考案の製品重量ラック２は、さらにスライド台ユニット３のはめ込み溝３１１にストップ部品Ａを挿入することで、ストップ部品Ａが、製品重量ラック２上の製品を停止させ、位置決めする効果を備えることができる。
【００１４】
図３と、図４と、図８に示すように、本考案の製品重量ラック２は、さらに、スライド台ユニット３の位置決め部品３３上に挿入部品６を挿設することができ、挿入部品６の下部は、円弧状の挿設部６１を備え、挿設部６１は、スライド台ユニット３の位置決め部品３３上に挿設することができ、挿入部品６の上端には、嵌設部６２が設けられ、嵌設部６２には、複数の嵌設溝６２１が設けられる。これにより、スライド台ユニット３の両側の位置決め部品３３には、挿入部品６が挿設され、挿入部品６における嵌設部６２の嵌設溝６２１には、間隔部品７が嵌設されることによって、スライド台ユニット３の長軸方向に沿って設置された間隔部品７により製品重量ラック２に間隔をあけて置かれた製品を、スライド台ユニット３に沿って順番にスライドさせることもできる。
【００１５】
本考案の製品重量ラック２は、上述の構造によって、支柱台ユニット４の穿設軸４１によってスライド台ユニット３が直列連結される、つまりスライド台ユニット３と支柱台ユニット４が１つの構成部材を形成することで、製品重量ラック２は、支柱台ユニット４によって耐荷重力を備えることができるとともに、スライド台ユニット３によって製品を自由にスライドさせる効果を備えるため、さらに効果的に製品重量ラック２のコストを下げることができる。
【符号の説明】
【００１６】
１        製品重量ラック
１１      底台
１２      スライド台
１２１    ローラー
１３      ストッパー
２        製品重量ラック
３        スライド台ユニット
３１      固定部品
３１１    はめ込み穴
３１２    軸穴
３１３    スルーホール
３１４    穴
３２      ローラー
３２１    支軸
３３      位置決め部品
３３１    錠穴
４        支柱台ユニット
４１      穿設軸
４１１    固定穴
４２      外支柱
４２１    前外支柱
４２１１  固定穴
４２１２  プライスカード設置部
４２２    左外支柱
４２２１  穿設穴
４２３    右外支柱
４２３１  穿設穴
４２４    後外支柱
４２４１  固定穴
５        分離部品
６        挿入部品
６１      挿設部
６２      嵌設部
６２１    嵌設溝
７        間隔部品
Ａ        ストップ部品
Ｓ、Ｓ１  ボルト
【図１】
0003211515.tif 000003
【図２】
0003211515.tif 000004
【図３】
0003211515.tif 000005
【図４】
0003211515.tif 000006
【図５】
0003211515.tif 000007
【図６】
0003211515.tif 000008
【図７】
0003211515.tif 000009
【図８】
0003211515.tif 000010